(57)【特許請求の範囲】
【請求項１】
前後左右四方の側壁、及び天井付きのハウス本体内に、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気装置であって、
前記ハウス本体の少なくとも三方の各側壁に、上下複数段、各側壁幅方向複数列にわたって、かつ、同段同列対向配置を含む配置で多数の吸気手段、排気手段を設け、
前記各吸気手段、各排気手段の吸気、排気の組み合せでハウス本体内各領域に形成する立体メッシュ状形態の換気気流域によって、前記ハウス本体内においてシールド、推進工事に伴って発生する有機ガス、排ガス、粉塵、坑内排気を前記各領域別に各々封じ込め状態で拡散を防止しつつハウス本体外に強制排気するように構成したことを特徴とするシールド、推進工事における防音ハウスの換気装置。
【請求項２】
前後左右四方の側壁、及び天井付きで全体として大型直方体箱型状で防音構造を施したハウス本体内において、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気装置であって、
前記ハウス本体の少なくとも三方の各側壁に、上下複数段、各側壁幅方向複数列にわたって、かつ、同段同列対向配置を含む配置で設けた多数の吸気手段、排気手段と、
前記資器材、掘削土搬出入作業領域、及び掘削土改質作業領域の天井に設けた天井吸気手段と、
を有し、
前記各吸気手段、各排気手段の吸気、排気の組み合せでハウス本体内各領域に形成する立体メッシュ状形態の換気気流域によって、前記セグメントシール貼り作業領域で発生する有機ガス、前記資器材、掘削土搬出入作業領域で発生する排ガス、掘削土改質作業領域で発生する粉塵、立坑換気設備領域における排気を各々封じ込め状態で拡散を防止しつつハウス本体外に強制排気するように構成したことを特徴とするシールド、推進工事における防音ハウスの換気装置。
【請求項３】
前後左右四方の側壁、及び天井付きのハウス本体内において、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気装置であって、
前記ハウス本体の少なくとも三方の各側壁に、上下複数段、各側壁幅方向複数列にわたって、かつ、同段同列対向配置を含む配置で設けた多数の吸気手段、排気手段と、
シールド、推進工事における昼間作業モード、夜間作業モードを設定する設定手段と、
設定される昼間作業モード、夜間作業モードに応じて予め格納した動作プログラムに基づき前記多数の吸気手段、排気手段、及び各天井吸気手段を個別に駆動制御する制御手段と、
を有し、
昼間作業モードでは、前記各吸気手段、各排気手段、及び各天井吸気手段の吸気、排気の組み合せでハウス本体内各領域に形成する立体メッシュ状形態の換気気流域によって、前記セグメントシール貼り作業領域で発生する有機ガス、前記資器材、掘削土搬出入作業領域で発生する排ガス、掘削土改質作業領域で発生する粉塵、立坑換気設備領域における排気を各々封じ込め状態で拡散を防止しつつハウス本体外に強制排気するように構成し、
夜間作業モードでは、前記掘削土改質作業領域で発生する粉塵、及び前記立坑換気設備領域における排気のみを各々封じ込め状態で拡散を防止しつつハウス本体外に強制排気するように構成したことを特徴とするシールド、推進工事における防音ハウスの換気装置。
【請求項４】
前後左右四方の側壁、及び天井付きで全体として大型直方体箱型状で防音構造を施したハウス本体内において、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気装置であって、
前記ハウス本体の少なくとも三方の各側壁に、上下複数段、各側壁幅方向複数列にわたって、かつ、同段同列対向配置を含む配置で設けた多数の吸気手段、排気手段の吸気、排気の組み合せで前記ハウス本体内各領域に立体メッシュ状形態の換気気流域を形成する手段と、
前記資器材、掘削土搬出入作業領域、及び掘削土改質作業領域の天井に設けた天井吸気手段と、
前記ハウス本体内の各領域における前記換気気流域により、前記セグメントシール貼り作業領域で発生する有機ガス、前記資器材、掘削土搬出入作業領域で発生する排ガス、掘削土改質作業領域で発生する粉塵、立坑換気設備領域における排気を各々封じ込め状態で拡散を防止しつつハウス本体外に強制排気する手段と、
シールド、推進工事における昼間作業モード、夜間作業モードを設定する設定手段と、
設定される昼間作業モード、夜間作業モードに応じて予め格納した動作プログラムに基づき前記多数の吸気手段、排気手段、及び各天井吸気手段を個別に駆動制御する制御手段と、
を有することを特徴とするシールド、推進工事における防音ハウスの換気装置。
【請求項５】
前後左右四方の側壁、及び天井付きのハウス本体内において、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気方法であって、
前記ハウス本体の少なくとも三方の各側壁に、上下複数段、各側壁幅方向複数列にわたって、かつ、同段同列対向配置を含む配置で設けた多数の吸気手段、排気手段の吸気、排気の組み合せで前記ハウス本体内各領域に立体メッシュ状形態の換気気流域を形成する換気気流域によって、前記ハウス本体内においてシールド、推進工事に伴って発生する有機ガス、排ガス、粉塵、排気を前記各領域別に各々封じ込め状態で拡散を防止しつつハウス本体外に強制排気するように構成したことを特徴とするシールド、推進工事における防音ハウスの換気方法。
【請求項６】
前後左右四方の側壁、及び天井付きで全体として大型直方体箱型状で防音構造を施したハウス本体内において、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気方法であって、
前記ハウス本体の少なくとも三方の各側壁に、上下複数段、各側壁幅方向複数列にわたって、かつ、同段同列対向配置を含む配置で設けた多数の吸気手段、排気手段をもって吸気、排気する過程と、
シールド、推進工事における昼間作業モード、夜間作業モードを設定する過程と、
設定される昼間作業モード、夜間作業モードに応じて予め格納した動作プログラムに基づき、前記ハウス本体の少なくとも三方の各側壁に、上下複数段、各側壁幅方向複数列にわたって、かつ、同段同列対向配置を含む配置で設けた多数の吸気手段、排気手段と、前記資器材、掘削土搬出入作業領域、及び掘削土改質作業領域の天井に設けた天井吸気手段とを個別に制御し、多数の吸気手段、排気手段、及び天井吸気手段による吸気、排気の組み合せで前記ハウス本体内各領域に昼間作業モード、夜間作業モード、及び昼間作業時の天井換気モードに応じた立体メッシュ状形態の換気気流域を形成する過程と、
を有し、
前記昼間作業モードでは、前記各吸気手段、各排気手段、及び各天井吸気手段の吸気、排気の組み合せでハウス本体内各領域に形成する立体メッシュ状形態の換気気流域によって、前記セグメントシール貼り作業領域で発生する有機ガス、前記資器材、掘削土搬出入作業領域で発生する排ガス、掘削土改質作業領域で発生する粉塵、立坑換気設備領域における排気を各々封じ込め状態で拡散を防止しつつハウス本体外に強制排気し、
夜間作業モードでは、前記掘削土改質作業領域で発生する粉塵、及び前記立坑換気設備領域における排気のみを各々封じ込め状態で拡散を防止しつつハウス本体外に強制排気するようにしたことを特徴とするシールド、推進工事における防音ハウスの換気方法。
【請求項７】
前後左右四方の側壁、及び天井付きのハウス本体内において、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気方法であって、
前記ハウス本体の少なくとも三方の各側壁に、上下複数段、各側壁幅方向複数列にわたって、かつ、同段同列対向配置を含む配置で設けた多数の吸気手段、排気手段をもって吸気、排気する過程と、
シールド、推進工事における昼間作業モード、夜間作業モードを設定する過程と、
設定される昼間作業モード、夜間作業モードに応じて予め格納した動作プログラムに基づき前記多数の吸気手段、排気手段、及び各天井吸気手段を個別に駆動制御する過程と、
を有し、
昼間作業モードでは、前記各吸気手段、各排気手段、及び各天井吸気手段の吸気、排気の組み合せでハウス本体内各領域に形成する立体メッシュ状形態の換気気流域によって、前記セグメントシール貼り作業領域で発生する有機ガス、前記資器材、掘削土搬出入作業領域で発生する排ガス、掘削土改質作業領域で発生する粉塵、立坑換気設備領域における排気を各々封じ込め状態で拡散を防止しつつハウス本体外に強制排気し、
夜間作業モードでは、前記掘削土改質作業領域で発生する粉塵、及び前記立坑換気設備領域における排気のみを各々封じ込め状態で拡散を防止しつつハウス本体外に強制排気するようにしたことを特徴とするシールド、推進工事における防音ハウスの換気方法。
【請求項８】
前後左右四方の側壁、及び天井付きで全体として大型直方体箱型状で防音構造を施したハウス本体内において、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気方法であって、
前記ハウス本体の少なくとも三方の各側壁に、上下複数段、各側壁幅方向複数列にわたって、かつ、同段同列対向配置を含む配置で設けた多数の吸気手段、排気手段の吸気、排気の組み合せで前記ハウス本体内各領域に立体メッシュ状形態の換気気流域を形成する過程と、
前記資器材、掘削土搬出入作業領域、及び掘削土改質作業領域の天井に設けた天井吸気過程と、
前記ハウス本体内の各領域における前記換気気流域により、前記セグメントシール貼り作業領域で発生する有機ガス、前記資器材、掘削土搬出入作業領域で発生する排ガス、掘削土改質作業領域で発生する粉塵、立坑換気設備領域における排気を各々封じ込め状態で拡散を防止しつつハウス本体外に強制排気する過程と、
シールド、推進工事における昼間作業モード、夜間作業モードを設定する過程と、
設定される昼間作業モード、夜間作業モードに応じて予め格納した動作プログラムに基づき前記多数の吸気手段、排気手段、及び各天井吸気手段を個別に駆動制御する過程と、
を有することを特徴とするシールド、推進工事における防音ハウスの換気方法。
【発明の詳細な説明】
【技術分野】
【０００１】
本発明は、防音ハウス内の作業領域別に粉塵、排気、排ガス等に関する換気を的確に実行でき、作業環境を良好なものとできるシールド、推進工事の発進立坑基地に設けられる防音ハウス内の換気装置及び換気方法に関するものである。
【背景技術】
【０００２】
シールド、推進工事の発進立坑基地に設けられる防音ハウス内では、各種の作業、設備が存在する。例えば、泥水式、土圧式シールド工法ではシールドトンネルの覆工に用いるプレキャスト製の部材で分割されたセグメントのシール貼り作業領域がある。
【０００３】
トンネルは地下水以下に構築される場合が多いので、セグメントの継手面には地下水圧に耐え得る防水工が必要で、一般には水膨張系のシールが貼られる。このシール貼りにはトルエン、キシレン、スチレン等の有機溶剤が使用されることから有機ガスを伴う有機溶剤作業となる。
【０００４】
また、防音ハウス内ではセグメントの搬入、掘削土の搬出、セグメントと地山の間隙を充填する裏込め注入材、その他のトンネル構築に必要な仮設資機材の搬入のために運搬車両が出入りするための資器材、掘削土搬出入作業領域もあり、この資器材、掘削土搬出入作業領域では排ガスが発生する。
【０００５】
泥水式シールドの掘削土は、泥水処理設備により一次処理土（砂、礫、固形土）と二次処理土に分けられるが、処理土の含水が多い場合には、セメント系、石灰系等の改質材を撹拌混合して改質し、処分、リサイクルする場合があり、このための掘削土改質作業領域があり、この領域でも粉塵作業となる。
【０００６】
土圧式シールドの掘削土の場合においても、一般にシールドの排土を塑性流動化させるために、粘土や高分子系材料等を添加する。そして、セメント系、石灰系等の改質材を撹拌混合して処分、リサイクルするための掘削土改質作業領域があり、この領域でも粉塵作業となる。
上述したような有機溶剤作業、粉塵作業に関しては作業者の安全を確保するために労働安全衛生法により一定の法規制がなされている。
【０００７】
更に、シールド坑内の作業場には立坑に適切は換気設備を設け、必要な換気量を坑内に供給する立坑換気設備領域があり、一般的には、立坑上部付近で換気される場合が多い。
安全で衛生的な作業環境をつくるためには、新鮮な空気を坑内に送る必要がある。立坑上部付近より送気される場合は、坑内からの排気と防音ハウス内の作業から発生する汚染空気が混じることがある。
【０００８】
この他、防音ハウス内には、各種機械設備を配置する機械設備設置領域やシールド、推進工事に必要な水を供給するための水槽群設置領域が設けられる。
【０００９】
泥水式と土圧式では防音ハウス内の機械設備も違うので発生熱、設備内の空気の流動状態も変化する。また、水槽群設置領域では水槽間の空気のよどみが生じる。このため、機械設備設置領域や、水槽群設置領域の排熱や、空気のよどみ無くすための換気も必要となる。
【００１０】
次に、防音ハウス内における作業状況に着目すると、シールド工事は昼夜間作業で行われ、昼間作業と夜間作業では作業内容が変わる。すなわち、夜間作業では、泥水式、土圧式ともセグメンドのシール貼り作業、掘削土、資器材の搬出入は行われないことが多い。
【００１１】
このように、上述した防音ハウスにおいては、本来の防音機能に加え、作業領域別に粉塵、排気、排熱、排ガス等を的確に排気し、作業環境を良好なものとすることが要請される。
【００１２】
この種の防音ハウス内における換気装置の従来例を図２３乃至図２６を参照して概説する。同図に示す防音ハウス５１の換気装置は、前後左右四方の側壁、及び天井付きで、全体として大型直方体箱型状で防音構造を施したハウス本体５２の前側の側壁に同一の高さで例えば１１個の排気ダクト５４を列設し、また後側の側壁に同一の高さで例えば１１個の吸気ダクト５３を列設し、各吸気ダクト５３、各排気ダクト５４を略同列配置としている。
【００１３】
前記後側の側壁に設けた１１個の吸気ダクト５３は、この側壁の下位位置に配置している。また、前側の側壁に設けた１１個の排気ダクト５４は、この側壁の上位位置に配置している。
【００１４】
従来の防音ハウス５１の換気装置は、全体換気として吸気ダクト５３と排気ダクト５４とが単一方向に設けられ、また、動力ファンは通常排気ダクト５４にのみ設けられる。
【００１５】
なお、図２３において、符号５５は電動重量シャッタ、符号５６は作業者用の開閉ドアであり、図２４において、符号５７は天井走行クレーンである。このような従来の防音ハウス５１の換気装置の構成では、防音ハウス５１内において、個々の作業で発生する有害ガス、粉塵、坑内換気を行う送気空気、機械設備の発生熱、気流の流れ等への換気対策が必ずしも十分ではない。
【００１６】
特許文献１には、掘削土砂を堆積して一時的に収容する土砂ピット、移動式バックホウが走行するためのガイドレール等を設けた防音ハウスを含む構成としたシールド工事の施工現場に設けられる掘削土砂の集積搬出設備が提案されている。しかし、特許文献１の場合も換気対策が必ずしも十分ではないものと推定される。
【先行技術文献】
【特許文献】
【００１７】
【特許文献１】特開２００４−２０４５９０号公報
【発明の概要】
【発明が解決しようとする課題】
【００１８】
本発明が解決しようとする問題点は、本来の防音機能に加えて、防音ハウス内の機械設備、作業内容に応じて作業領域別に粉塵、排気、排ガス等に関する換気を的確に実行でき、作業環境を良好なものとし得るようなシールド、推進工事における防音ハウスの換気装置、換気方法が存在しない点である。
【課題を解決するための手段】
【００１９】
本発明は、前後左右四方の側壁、及び天井付きのハウス本体内に、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気装置であって、前記ハウス本体の少なくとも三方の各側壁に、上下複数段、各側壁幅方向複数列にわたって、かつ、同段同列対向配置を含む配置で多数の吸気手段、排気手段を設け、前記各吸気手段、各排気手段の吸気、排気の組み合せでハウス本体内各領域に形成する立体メッシュ状形態の換気気流域によって、前記ハウス本体内においてシールド、推進工事に伴って発生する有機ガス、排ガス、粉塵、排気を前記各領域別に各々封じ込め状態で拡散を防止しつつハウス本体外に強制排気するように構成したことを最も主要な特徴とするものである。
【発明の効果】
【００２０】
請求項１記載の発明によれば、本来の防音機能に加え、防音ハウス内の機械設備、作業内容に応じて作業領域別に粉塵、排気、排ガス、排熱に関する換気を的確に実行でき、有害ガスの吸引を防止し粉塵被爆を無くして防音ハウス内の作業環境を良好なものとすることができるシールド、推進工事における防音ハウスの換気装置を実現し提供することができる。
【００２１】
請求項２記載の発明によれば、セグメントシール貼り作業領域で発生する有機ガス、資器材、掘削土搬出入作業領域で発生する排ガス、掘削土改質作業領域で発生する粉塵、立坑換気設備領域における排気を各々封じ込め状態で拡散を防止しつつハウス本体外に強制排気でき、有害ガスの吸引を防止し粉塵被爆を無くして防音ハウス内の作業環境を良好なものとすることができるシールド、推進工事における防音ハウスの換気装置を実現し提供することができる。
【００２２】
請求項３記載の発明によれば、昼間作業モードでは、請求項２記載の発明と同様な効果を奏することに加え、夜間作業モードでは、不必要箇所に対する換気機能の低減による電力削減を通じた省エネルギーを図ることができ、更に、資器材、掘削土搬出入作業領域、掘削土改質作業領域の天井への天井吸気手段の採用により、これらの領域の位置、大きさに応じた防音ハウス内換気の最適化をも図ることができるシールド、推進工事における防音ハウスの換気装置を実現し提供することができる。
【００２３】
請求項４記載の発明によれば、請求項１記載の発明の換気装置を使用して、防音ハウス内の機械設備、作業内容に応じて作業領域別に粉塵、排気、排ガス、排熱に関する換気を的確に実行でき、有害ガスの吸引を防止し粉塵被爆を無くして防音ハウス内の作業環境を良好なものとすることができるシールド、推進工事における防音ハウスの換気方法を実現し提供することができる。
【００２４】
請求項５記載の発明によれば、請求項２記載の発明の換気装置を使用して、セグメントシール貼り作業領域で発生する有機ガス、資器材、掘削土搬出入作業領域で発生する排ガス、掘削土改質作業領域で発生する粉塵、立坑換気設備領域における排気を各々封じ込め状態で拡散を防止しつつハウス本体外に強制排気でき、有害ガスの吸引を防止し粉塵被爆を無くして防音ハウス内の作業環境を良好なものとすることができるシールド、推進工事における防音ハウスの換気方法を実現し提供することができる。
【００２５】
請求項６、請求項７、請求項８記載の発明によれば、請求項３記載の発明の換気装置を使用して、昼間作業モードでは、請求項２記載の発明と同様な効果を発揮させることができ、夜間作業モードでは、不必要箇所に対する換気機能の低減による電力削減を通じた省エネルギーを図ることができ、更に、資器材、掘削土搬出入作業領域、掘削土改質作業領域の天井への天井吸気手段の採用により、これらの領域の位置、大きさに応じた防音ハウス内換気の最適化をも図ることができるシールド、推進工事における防音ハウスの換気方法を実現し提供することができる。
【図面の簡単な説明】
【００２６】
【図１】図１は本発明の実施例に係る換気装置を含む防音ハウスの天井を除いた状態の概略平面図である。
【図２】図２は本実施例に係る換気装置を含む防音ハウスの概略正面図である。
【図３】図３は本実施例に係る換気装置を含む防音ハウスの概略背面（後面）図である。
【図４】図４は本実施例に係る換気装置の制御系の概略ブロック図である。
【図５】図５は本実施例に係る換気装置を含む防音ハウス内の昼間作業時における側壁下位位置の換気流を示す説明図である。
【図６】図６は本実施例に係る換気装置を含む防音ハウス内の昼間作業時における側壁中位位置の換気流を示す説明図である。
【図７】図７は本実施例に係る換気装置を含む防音ハウス内の昼間作業時における側壁上位位置の換気流を示す説明図である。
【図８】図８は本実施例に係る換気装置を含む防音ハウス内の昼間作業時における立坑換気設備領域、セグメントシール貼り作業領域の換気流を示す説明図である。
【図９】図９は本実施例に係る換気装置を含む防音ハウス内の昼間作業時における資器材、掘削土搬出入作業領域の換気流を示す説明図である。
【図１０】図１０は本実施例に係る換気装置を含む防音ハウス内の昼間作業時における掘削土改質作業領域の換気流を示す説明図である。
【図１１】図１１は本実施例に係る換気装置を含む防音ハウス内の夜間作業時における側壁下位位置の換気流を示す説明図である。
【図１２】図１２は本実施例に係る換気装置を含む防音ハウス内の夜間作業時における側壁中位位置の換気流を示す説明図である。
【図１３】図１３は本実施例に係る換気装置を含む防音ハウス内の夜間作業時における側壁上位位置の換気流を示す説明図である。
【図１４】図１４は本実施例に係る換気装置を含む防音ハウス内の夜間作業時における立坑換気設備領域、セグメントシール貼り作業領域の換気流を示す説明図である。
【図１５】図１５は本実施例に係る換気装置を含む防音ハウス内の夜間作業時における資器材、掘削土搬出入作業領域の換気流を示す説明図である。
【図１６】図１６は本実施例に係る換気装置を含む防音ハウス内の夜間作業時における掘削土改質作業領域の換気流を示す説明図である。
【図１７】図１７は本実施例に係る換気装置を含む防音ハウス内の昼間作業時における天井換気モードでの側壁下位位置の換気流を示す説明図である。
【図１８】図１８は本実施例に係る換気装置を含む防音ハウス内の昼間作業時における天井換気モードでの側壁中位位置の換気流を示す説明図である。
【図１９】図１９は本実施例に係る換気装置を含む防音ハウス内の昼間作業時における天井換気モードでの側壁上位位置の換気流を示す説明図である。
【図２０】図２０は本実施例に係る換気装置を含む防音ハウス内の昼間作業時における天井換気モードでの立坑換気設備領域、セグメントシール貼り作業領域の換気流を示す説明図である。
【図２１】図２１は本実施例に係る換気装置を含む防音ハウス内の昼間作業時における資器材、掘削土搬出入作業領域の換気流を示す説明図である。
【図２２】図２２は本実施例に係る換気装置を含む防音ハウス内の昼間作業時における掘削土改質作業領域の換気流を示す説明図である。
【図２３】図２３は従来の換気装置を含む防音ハウスの天井を除いた状態の概略平面図である。
【図２４】図２４は従来の換気装置を含む防音ハウスの概略縦断面図である。
【図２５】図２５は従来の換気装置を含む防音ハウスの概略正面図である。
【図２６】図２６は従来の換気装置を含む防音ハウスの概略背面（後面）図である。
【発明を実施するための形態】
【００２７】
本発明は、本来の防音機能に加え、防音ハウス内の機械設備、作業内容に応じて作業領域別に粉塵、排気、排ガス等に関する換気を的確に実行でき、作業環境を良好なものとし得るようなシールド、推進工事における防音ハウスの換気装置を実現し提供するという目的を、前後左右四方の側壁、及び天井付きで全体として大型直方体箱型状で防音構造を施したハウス本体内において、有機溶剤混入によるセグメントシール貼り作業領域、運搬車による資器材、掘削土搬出入作業領域、改質材混入による掘削土改質作業領域、及びハウス本体外の立坑に連通させて坑内送気、坑内排気を行う立坑換気設備領域を有するシールド、推進工事における防音ハウスの換気装置であって、前記ハウス本体の少なくとも三方の各側壁に、上下複数段、各側壁幅方向複数列にわたって、かつ、同段同列対向配置を含む配置で設けた多数の吸気手段、排気手段と、前記資器材、掘削土搬出入作業領域、及び掘削土改質作業領域の天井に設けた天井吸気手段と、を有し、前記各吸気手段、各排気手段の吸気、排気の組み合せでハウス本体内各領域に形成する立体メッシュ状形態の換気気流域によって、前記セグメントシール貼り作業領域で発生する有機ガス、前記資器材、掘削土搬出入作業領域で発生する排ガス、掘削土改質作業領域で発生する粉塵、立坑換気設備領域における排気を各々封じ込め状態で拡散を防止しつつハウス本体外に強制排気するように構成したことにより実現した。
【実施例】
【００２８】
以下、本発明の実施例に係るシールド、推進工事における防音ハウスの換気装置、及び換気方法について図面を参照して詳細に説明する。
【００２９】
本実施例に係るシールド、推進工事における防音ハウス１の換気装置（以下、「本実施例に係る換気装置」という）は、前後左右四方の側壁、及び天井付きで全体として大型直方体箱型状で防音構造を施した図１乃至図３に示す防音ハウス１のハウス本体２に設置され、このハウス本体２内の強制排気を行うように構成している。
【００３０】
なお、図１において、ハウス本体２についての前後左右の位置関係を同図に示すように定義して以下の説明を行う。
【００３１】
前記防音ハウス１のハウス本体２内には、その内部に、有機溶剤混入によるセグメントシール貼り作業領域３、大型トラック等の運搬車が出入する資器材、掘削土搬出入作業領域４、改質材混入による掘削土改質作業領域５、及びハウス本体２の前側外方位置の立坑１０に連通させて坑内送気、坑内排気を行う送気装置、排気装置を備える立坑換気設備領域６、各種機械設備を設置する機械設備設置領域７、シールド、推進工事に必要な水を供給するための水槽群設置領域８を有している。
【００３２】
すなわち、前記セグメントシール貼り作業領域３はハウス本体２の図１において左後隅部に、前記資器材、掘削土搬出入作業領域４はハウス本体２の図１において略中央部の前側、後側の両側壁にわたる位置に、前記掘削土改質作業領域５は前記資器材、掘削土搬出入作業領域４の右隣りで後側の側壁に近い位置に、前記立坑換気設備領域６はハウス本体２の図１において左前隅部に、前記機械設備設置領域７はハウス本体２の図１において右後隅部に、前記水槽群設置領域８はハウス本体２の図１において右前隅部に、各々設置している。
【００３３】
前記ハウス本体２の前側の側壁には、図２にも示すように、その略中央部地面側に位置して運搬車が出入するための電動重量シャッタ９を設け、その隣に作業者用の開閉ドア１１を設け、また、前記ハウス本体２の右側の側壁には、図１に示すように、作業者用の開閉ドア１１を設けている。図３は前記ハウス本体２の後面の概略を示すものである。
【００３４】
次に、本実施例に係る換気装置について詳述する。本実施例に係る換気装置は、図１に示すように、前記ハウス本体２の少なくとも三方の各側壁、すなわち、前側、後側、及び左側の三方の各側壁に、上下三段、各側壁幅方向複数列にわたって、かつ、同段同列対向配置に多数の吸気手段である吸気扇（吸気ファン）２１、排気手段である排気扇（排気ファン）３１を設けることにより構成している。
【００３５】
更に詳述すると、前記ハウス本体２の前側、後側の各側壁には、幅方向に合計１４個構成の吸気扇２１、及び排気扇３１を各々列設している。
【００３６】
すなわち、前記ハウス本体２の前側の側壁には、９個の吸気扇２１と、５個の排気扇３１とを列設している。
【００３７】
また、前記ハウス本体２の後側の側壁には、５個の吸気扇２１と、９個の排気扇３１とを列設している。
【００３８】
これら１４個構成の吸気扇２１、及び排気扇３１の設置状態について上述した各領域に応じて以下に個別に説明する。
【００３９】
前記立坑換気設備領域６と前記セグメントシール貼り作業領域３とを挟んで対向する前側、後側の両側壁（図１において前記資器材、掘削土搬出入作業領域４よりも左側の前側、後側の両側壁）には、各々５個の吸気扇２１、及び排気扇３１を列設している。
【００４０】
このうち、前側の側壁には、５個の排気扇３１をハウス本体２の側壁上位位置（これを図１において八角枠付きＣ：大文字Ｃを八角枠で囲んだ形態で表す：以下同様）に列設している。
【００４１】
一方、後側の側壁には、３個の吸気扇２１と２個の排気扇３１とを、左側から順に交互配置に列設している。このうち、左から一番目、三番目、５番目の吸気扇２１は、側壁上位位置（八角枠付きＣ）に配置し、二番目、四番目の排気扇３１は側壁下位位置（八角枠付きＡ）に配置している。
【００４２】
この結果、前記立坑換気設備領域６と前記セグメントシール貼り作業領域３とを挟んで対向する前側、後側の両側壁間においては、前側の側壁における左から一番目、三番目、５番目の各排気扇３１と、後側の側壁における左から一番目、三番目、５番目の各吸気扇２１とが同段同列で対向するようになっている。
【００４３】
次に、前記資器材、掘削土搬出入作業領域４を挟んで対向する前側、後側の両側壁においては、各々３個の吸気扇２１又は排気扇３１を列設している。
【００４４】
このうち、前側の側壁には、３個の吸気扇２１をハウス本体２の側壁下位位置（八角枠付きＡ）、側壁中位位置（八角枠付きＢ）、側壁上位位置（八角枠付きＣ）に配置している。
【００４５】
一方、後側の側壁には、１個の吸気扇２１と２個の排気扇３１とを、左側から排気扇３１、吸気扇２１、排気扇３１の順に列設するとともに、１個の吸気扇２１は側壁上位位置（八角枠付きＣ）に、２個の排気扇３１は側壁下位位置（八角枠付きＡ）に配置している。
【００４６】
この結果、前記資器材、掘削土搬出入作業領域４を挟んで対向する前側、後側の両側壁間においては、前側の側壁における左側の吸気扇２１と、後側の側壁における左側の排気扇３１とが同段同列で対向し、前側の側壁における中央の吸気扇２１と、後側の側壁における中央の吸気扇２１とが同段同列で対向するようになっている。
【００４７】
次に、前記掘削土改質作業領域５を挟んで対向する前側、後側の両側壁においては各々３個の吸気扇２１又は排気扇３１を列設している。
【００４８】
このうち、前側の側壁には、３個の吸気扇２１を列設している。３個の吸気扇２１のうち、一番目と三番目の吸気扇２１はハウス本体２の側壁下位位置（八角枠付きＡ）に、二番目の吸気扇２１はハウス本体２の側壁中位位置（八角枠付きＢ）に配置している。
【００４９】
一方、後側の側壁には、図示しないが風向カバー付きの１個の吸気扇２１と２個の排気扇３１とを、左側から排気扇３１、吸気扇２１、排気扇３１の順に列設するとともに、１個の吸気扇２１は側壁上位位置（八角枠付きＣ）に、２個の排気扇３１は側壁下位位置（八角枠付きＡ）に配置している。
【００５０】
この結果、前記掘削土改質作業領域５を挟んで対向する前側、後側の両側壁においては、前側の側壁における一番目、三番目の吸気扇２１と、後側の側壁における一番目、三番目の排気扇３１とが同段同列で対向するようになっている。
【００５１】
次に、前記水槽群設置領域８、及び機械設備設置領域７を挟んで対向する前側、後側の両側壁においては、各々３個の吸気扇２１又は３個の排気扇３１を列設している。
【００５２】
このうち、前側の側壁には、３個の吸気扇２１を列設している。３個の吸気扇２１のうち、一番目と三番目の吸気扇２１はハウス本体２の側壁下位位置（八角枠付きＡ）に、二番目の吸気扇２１はハウス本体２の側壁中位位置（八角枠付きＢ）に配置している。
【００５３】
一方、後側の側壁には、３個の各排気扇３１を列設している。３個の排気扇３１のうち、一番目と三番目の排気扇３１はハウス本体２の側壁上位位置（八角枠付きＣ）に、二番目の排気扇３１はハウス本体２の側壁中位位置（八角枠付きＢ）に配置している。
【００５４】
この結果、前記水槽群設置領域８、及び機械設備設置領域７を挟んで対向する前側、後側の両側壁においては、前側の側壁における中央の吸気扇２１と、後側の側壁における中央の排気扇３１とが同段同列で対向するようになっている。
【００５５】
前記ハウス本体２の左側の側壁には、幅方向に合計４個の各吸気扇２１を列設している。４個の吸気扇２１のうち、前記立坑換気設備領域６に臨む２個の吸気扇２１は、側壁下位位置（八角枠付きＡ）に配置している。
【００５６】
また、前記セグメントシール貼り作業領域３に臨む２個の各吸気扇２１は、側壁中位位置（八角枠付きＢ）に配置している。
【００５７】
前記防音ハウス１における前記資器材、掘削土搬出入作業領域４、改質材混入による掘削土改質作業領域５の天井には、図１９に示すように、吸気手段である夫々天井吸気扇３２、３３を設けている。
【００５８】
次に、図４を参照して本実施例に係る換気装置の制御系について説明する。
【００５９】
本実施例に係る換気装置は、シールド、推進工事における防音ハウス１内の昼間作業モード、夜間作業モード、天井換気モードを設定するキーボード、タッチパネル等からなる入力部４１と、本実施例に係る換気装置の昼間作業モード、夜間作業モード、天井換気モードに関する動作プログラムを予め格納したプログラムメモリ４２と、合計３２個の吸気扇２１、排気扇３１と、前記天井吸気扇３２、３３とをオン・オフ駆動する全体で３４個のオンオフ駆動部４３と、各種文字情報等を表示する表示部４４と、前記入力部４１にて設定される各モードに応じた動作プログラムの基に前記各オンオフ駆動部４３を個別に制御する制御部４０と、を有している。
【００６０】
次に、本実施例のシールド、推進工事における防音ハウス１内での前記換気装置を使用した換気方法について、図５乃至図２２をも参照し、（１）昼間作業モード、（２）夜間作業モード、（３）昼間作業時における天井換気モードに場合を分け、かつ、各領域別に説明する。
【００６１】
（１）昼間作業モード
最初に昼間作業モードについて図５乃至図１０をも参照して説明する。
【００６２】
作業者が前記入力部４１を操作し、昼間作業モードを設定すると、制御部４０は、設定された昼間作業モードに応じた動作プログラムの基に前記各オンオフ駆動部４３を個別に制御し、前記吸気扇２１、排気扇３１を図５乃至図１０に示す態様でオン動作させ、防音ハウス１内の各領域の換気を以下のように実行する。
【００６３】
すなわち、この場合の防音ハウス１内における側壁下位位置（八角枠付きＡ）の各吸気扇２１、排気扇３１による換気流（八角枠付きＡ層換気流）は、図５に示すように行われる。
【００６４】
具体的には、立坑換気設備領域６では図５に示すように左側の側壁に配置した２個の吸気扇２１からの吸気が供給され、前記セグメントシール貼り作業領域３では後側の側壁に設けた２個の排気扇３１による排気が実行され、前記資器材、掘削土搬出入作業領域４では後側の側壁に設けた２個の排気扇３１による排気が実行され、前記掘削土改質作業領域５では前側の側壁に設けた１個の吸気扇２１による吸気と後側の側壁に設けた２個の排気扇３１による排気が実行され、前記水槽群設置領域８では前側の側壁に設けた２個の吸気扇２１による吸気が実行される。
【００６５】
また、防音ハウス１内における側壁中位位置（八角枠付きＢ）の各吸気扇２１、排気扇３１による換気流（八角枠付きＢ層換気流）は、図６に示すようになる。
【００６６】
具体的には、前記セグメントシール貼り作業領域３では左側の側壁に配置した２個の吸気扇２１による吸気が実行され、前記掘削土改質作業領域５では前側の側壁に配置した１個の吸気扇２１による吸気が実行され、前記機械設備設置領域７、及び前記水槽群設置領域８では前側の側壁に配置した１個の吸気扇２１による吸気と、後側の側壁に設けた１個の排気扇３１による排気が実行される。
【００６７】
更に、防音ハウス１内における側壁上位位置（八角枠付きＣ）の各吸気扇２１、排気扇３１による換気流（八角枠付きＣ層換気流）は、図７に示すようになる。
【００６８】
具体的には、前記立坑換気設備領域６、及びセグメントシール貼り作業領域３では、後側の側壁に配置した３個の吸気扇２１による吸気と、前側の側壁に配置した５個の排気扇３１による排気とが実行され、前記資器材、掘削土搬出入作業領域４では、前側の側壁に配置した３個の吸気扇２１による吸気と、後側の側壁に配置した１個の吸気扇２１による吸気とが実行され、
【００６９】
前記掘削土改質作業領域５では後側の側壁に配置した１個の排気扇３１による排気が実行され、前記機械設備設置領域７では後側の側壁に配置した２個の排気扇３１による排気が実行される。
【００７０】
上述した図５乃至図７に示す八角枠付きのＡ、Ｂ、Ｃ各層換気流を各領域別に総合的に見た場合の換気流を図８乃至図１０に示す。
【００７１】
図８は前記立坑換気設備領域６、及び前記セグメントシール貼り作業領域３の上述した各層換気流の状態を示すものであり、坑内からの坑道排気は立坑上部に排気されるので、前記立坑換気設備領域６における立坑１０からの排気流は前側の側壁下位位置（八角枠付きＡ）の排気扇３１により速やかに排気できる。
【００７２】
また、シールド坑内へは、左側の側壁の側壁下位位置（八角枠付きＡ）に設けた吸気扇２１から立坑換気設備領域６を経て新鮮な空気を供給する。
【００７３】
更に、前記セグメントシール貼り作業領域３におけるセグメントシール貼り作業に伴って発生する有機溶剤ガスは空気より重く沈降することから、後側の側壁下位位置（八角枠付きＡ）の排気扇３１により拡散させないで最短気流域で排気することができる。
【００７４】
更にまた、防音ハウス１内の側壁上位位置（八角枠付きＣ）には、同段同列の吸気扇２１、排気扇３１による気流域が形成されるので、有機溶剤ガスを防音ハウス１内の下位位置に封じ込めながら排気することが可能となる。
【００７５】
図９は、前記資器材、掘削土搬出入作業領域４の上述した各層換気流を示すもので、運搬車の排ガスを最短気流線で排気するために、前側、後側の側壁上位位置（八角枠付きＣ）に設けた各吸気扇２１により吸気し、かつ、前側の側壁中位位置（八角枠付きＢ）に設けた吸気扇２１からも吸気し、防音ハウス１内の上部に排ガスを封じ込める気流域を形成して排ガスを封じ込めながら、後側の側壁下位位置（八角枠付きＡ）の排気扇３１により外部に排気する。
【００７６】
図１０は、前記掘削土改質作業領域５の上述した各層換気流を示すもので、前側の側壁下位位置（八角枠付きＡ）、及び側壁中位位置（八角枠付きＢ）に設けた吸気扇２１から吸気し、後側の側壁上位位置（八角枠付きＣ）に設けた吸気扇２１からも吸気し、後側の側壁下位位置（八角枠付きＡ）に設けた排気扇３１により排気する。
【００７７】
掘削土改質作業における改質材（セメント系、石灰系等）の撹拌混合は、機械式とバックホーによる半機械式があり、改質材の添加量は掘削土の含水率と改質後の強度（一軸圧縮強度、コーン指数）により変わるが、３０〜１００ｋｇ／ｍ３となる。また、撹拌混合時には粉塵が発生し、換気気流の流れの方向によっては防音ハウス１内に拡散することから、上述のように防音ハウス１内の上部に粉塵を封じ込める気流域を形成しつつ後側の側壁下位位置（八角枠付きＡ）に設けた排気扇３１により拡散させないで最短気流線で排気するものである。
【００７８】
以上説明した本実施例に係るシールド、推進工事における防音ハウス１における前記換気装置、及びこの換気装置を使用した換気方法によれば、セグメントシール貼り作業領域３で発生する有機ガス、資器材、掘削土搬出入作業領域４で発生する排ガス、掘削土改質作業領域５で発生する粉塵、立坑換気設備領域６における排気を各々封じ込め状態で拡散を防止しつつハウス本体２外に強制排気でき、作業者の有害ガスの吸引を防止し粉塵被爆を無くして防音ハウス１内の作業環境を良好なものとすることができる。
【００７９】
（２）夜間作業モード
次に、夜間作業モードについて図１１乃至図１６をも参照して説明する。
【００８０】
防音ハウス１内における夜間作業では、セグメントシール貼り作業とセグメントの搬入、掘削土の搬出、セグメントと地山の間隙を充填する裏込め注入材、その他の立坑構築に必要な仮設資機材の搬入作業が無いことから、全体換気に必要な換気量を低減する。
【００８１】
すなわち、作業者が前記入力部４１を操作し、夜間作業モードを設定すると、前記制御部４０は、設定された夜間作業モードに応じた動作プログラムの基に前記各オンオフ駆動部４３を個別に制御し、前記吸気扇２１、排気扇３１を図１１乃至図１６に示す態様でオン動作させ、防音ハウス１内の各領域の換気を以下のように実行する。
【００８２】
そして、この場合の防音ハウス１内における側壁下位位置（八角枠付きＡ）の各吸気扇２１、排気扇３１による換気流（八角枠付きＡ層換気流）は、図１１に示すように行われる。
【００８３】
具体的には、立坑換気設備領域６では図１１に示すように左側の側壁に配置した２個の吸気扇２１からの吸気が供給され、前記資器材、掘削土搬出入作業領域４では、前側の側壁に配置した２個の吸気扇２１による吸気と、後側の側壁に設けた２個の排気扇３１による排気が実行される。
【００８４】
また、防音ハウス１内における側壁中位位置（八角枠付きＢ）の各吸気扇２１、排気扇３１による換気流（八角枠付きＢ層換気流）は、図１２に示すようになる。
【００８５】
具体的には、前記セグメントシール貼り作業領域３では左側の側壁に配置した１個の吸気扇２１による吸気が実行され、前記掘削土改質作業領域５では前側の側壁に配置した１個の吸気扇２１による吸気が実行される。
【００８６】
更に、防音ハウス１内における側壁上位位置（八角枠付きＣ）の各吸気扇２１、排気扇３１による換気流（八角枠付きＣ層換気流）は、図１３に示すようになる。
【００８７】
具体的には、前記立坑換気設備領域６では、前側の側壁に配置した３個の排気扇３１による排気が実行され、前記掘削土改質作業領域５では後側の側壁に配置した１個の吸気扇２１による吸気が実行され、前記機械設備設置領域７では、後側の側壁に配置した２個の排気扇３１による排気が実行される。
【００８８】
上述した図１１乃至図１３に示す八角枠付きのＡ、Ｂ、Ｃ各層換気流を各領域別に総合的に見た場合の換気流を図１４乃至図１６に示す。
【００８９】
図１４は前記立坑換気設備領域６、及び前記セグメントシール貼り作業領域３の上述した各層換気流の状態を示すもので、この場合には図８に示す場合と同様、坑内からの坑道排気は立坑上部に排気されるので、前記立坑換気設備領域６における立坑１０からの排気流は前側の側壁下位位置（八角枠付きＡ）の排気扇３１により速やかに排気できる。
【００９０】
また、シールド坑内へは、左側の側壁の側壁下位位置（八角枠付きＡ）に設けた吸気扇２１から立坑換気設備領域６を経て新鮮な空気を供給する。
【００９１】
図１５は前記資器材、掘削土搬出入作業領域４の上述した各層換気流を示すもので、前記資器材、掘削土搬出入作業領域４における作業が無いことから、この場合には、掘削土搬出入作業領域４では、前側の側壁に配置した３個の吸気扇２１による吸気、及び後側の側壁に設けた１個の吸気扇２１による吸気と、後側の側壁に設けた２個の排気扇３１による排気が実行される。
【００９２】
図１６は、前記掘削土改質作業領域５の上述した各層換気流を示すもので、図１０に示す場合と同様、前側の側壁下位位置（八角枠付きＡ）、及び側壁中位位置（八角枠付きＢ）に設けた吸気扇２１から吸気し、後側の側壁上位位置（八角枠付きＣ）に設けた吸気扇２１からも吸気し、後側の側壁下位位置（八角枠付きＡ）に設けた排気扇３１により排気する。
【００９３】
これにより、夜間作業においても、防音ハウス１内の上部に粉塵を封じ込める気流域を形成しつつ後側の側壁下位位置（八角枠付きＡ）に設けた排気扇３１により拡散させないで最短気流線で排気することができる。
【００９４】
このような夜間作業モードを採用することにより、不必要箇所に対する換気機能の低減による電力削減、換気効率向上による省エネルギーを図ることができる。
【００９５】
（３）昼間作業時における天井換気モード
次に、昼間作業時における天井換気モードについて図１７乃至図２２をも参照して説明する。
【００９６】
作業者が前記入力部４１を操作し、天井換気モードを設定すると、制御部４０は、設定された夜間作業モードに応じた動作プログラムの基に前記各オンオフ駆動部４３を個別に制御し、前記吸気扇２１、排気扇３１、及び前記天井吸気扇３２、３３を図１７乃至図１９に示す態様でオン動作させ、防音ハウス１内の各領域の換気を以下のように実行する。なお、前記天井吸気扇３２、３３を八角枠付きＤで表す。
【００９７】
すなわち、この場合の防音ハウス１内における前記側壁下位位置（八角枠付きＡ）の各吸気扇２１、排気扇３１による換気流（八角枠付きＡ層換気流）は、図１７に示すようになる。この場合の換気流は、図５に示す場合と同様である。
【００９８】
具体的には、立坑換気設備領域６では図１７に示すように左側の側壁に配置した２個の吸気扇２１からの吸気が供給され、前記セグメントシール貼り作業領域３では後側の側壁に設けた２個の排気扇３１による排気が実行され、前記資器材、掘削土搬出入作業領域４では後側の側壁に設けた２個の排気扇３１による排気が実行され、前記掘削土改質作業領域５では前側の側壁に設けた１個の吸気扇２１による吸気と後側の側壁に設けた２個の排気扇３１による排気が実行され、前記水槽群設置領域８では前側の側壁に設けた２個の吸気扇２１による吸気が実行される。
【００９９】
また、防音ハウス１内における側壁中位位置（八角枠付きＢ）の各吸気扇２１、排気扇３１による換気流（八角枠付きＢ層換気流）は、図１８に示すようになる。
【０１００】
具体的には、前記セグメントシール貼り作業領域３では左側の側壁に配置した２個の吸気扇２１による吸気が実行され、前記掘削土改質作業領域５では前側の側壁に配置した１個の吸気扇２１による吸気が実行され、前記機械設備設置領域７、及び前記水槽群設置領域８ではでは前側の側壁に配置した１個の吸気扇２１による吸気と、後側の側壁に設けた１個の排気扇３１による排気が実行される。この場合の換気流は、図６に示す場合と略同様である。
【０１０１】
更に、防音ハウス１内における側壁上位位置（八角枠付きＣ）の各吸気扇２１、排気扇３１による換気流（八角枠付きＣ層換気流）は、図１９に示すようになる。
【０１０２】
具体的には、前記立坑換気設備領域６、及びセグメントシール貼り作業領域３では、後側の側壁に配置した３個の吸気扇２１による吸気と、前側の側壁に配置した５個の排気扇３１による排気とが実行され、前記資器材、掘削土搬出入作業領域４では、前側の側壁に配置した３個の吸気扇２１による吸気と、天井に配置した天井吸気扇３２による吸気が実行され、前記掘削土改質作業領域５では天井に配置した天井吸気扇３３による吸気が実行され、前記機械設備設置領域７では後側の側壁に配置した２個の排気扇３１による排気が実行される。
【０１０３】
上述した図１７乃至図１９に示す八角枠付きのＡ、Ｂ、Ｃ、Ｄ各層換気流を各領域別に総合的に見た場合の換気流を図２０乃至図２２に示す。
【０１０４】
図２０は前記立坑換気設備領域６、及び前記セグメントシール貼り作業領域３の上述した各層換気流の状態を示すものであり、図８に示す場合と同様、坑内からの坑道排気は立坑上部に排気されるので、前記立坑換気設備領域６における立坑１０からの排気流は前側の側壁下位位置（八角枠付きＡ）の排気扇３１により速やかに排気できる。
【０１０５】
また、シールド坑内へは、左側の側壁の側壁下位位置（八角枠付きＡ）に設けた吸気扇２１から立坑換気設備領域６を経て新鮮な空気を供給する。
【０１０６】
更に、前記セグメントシール貼り作業領域３におけるセグメントシール貼り作業に伴って発生する有機溶剤ガスは空気より重く沈降することから、後側の側壁下位位置（八角枠付きＡ）の排気扇３１により拡散させないで最短気流域で排気することができる。
【０１０７】
更にまた、防音ハウス１内の側壁上位位置（八角枠付きＣ）には、同段同列の吸気扇２１、排気扇３１による気流域が形成されるので、有機溶剤ガスを防音ハウス１内の下位位置に封じ込めながら排気することが可能となる。
【０１０８】
図２１は、前記資器材、掘削土搬出入作業領域４の上述した各層換気流を示すものであり、運搬車の排ガスを最短気流線で排気するために、前側の側壁上位位置（八角枠付きＣ）、側壁中位位置（八角枠付きＢ）、及び側壁下位位置（八角枠付きＡ）に設けた各吸気扇２１により吸気し、更に、天井に設けた天井吸気扇３２（八角枠付きＤ）からも吸気して、防音ハウス１内の上部に排ガスを封じ込める気流域を形成して排ガスを封じ込めながら、後側の側壁下位位置（八角枠付きＡ）の排気扇３１により外部に排気する。
【０１０９】
図２２は、前記掘削土改質作業領域５の上述した各層換気流を示すものであり、前側の側壁下位位置（八角枠付きＡ）、及び側壁中位位置（八角枠付きＢ）に設けた吸気扇２１から吸気し、更に、天井に設けた天井吸気扇３３（八角枠付きＤ）からも吸気し、後側の側壁下位位置（八角枠付きＡ）に設けた２個の排気扇３１により排気する。
【０１１０】
前記資器材、掘削土搬出入作業領域４においては、既述した場合と同様、改質材の撹拌混合時には粉塵が発生し、換気気流の流れの方向によっては防音ハウス１内に拡散することから、上述のように防音ハウス１内の上部に粉塵を封じ込める気流域を形成しつつ後側の側壁下位位置（八角枠付きＡ）に設けた排気扇３１により拡散させないで最短気流線で外部排気するものである。
【０１１１】
このような資器材、掘削土搬出入作業領域４、掘削土改質作業領域５の天井への天井吸気扇３２、３３を含めた昼間作業時における天井換気モードを採用することにより、既述した昼間作業モードの場合と同様な効果を発揮させることができるとともに、これらの領域の位置、大きさに応じた防音ハウス１における内部の換気の最適化をも図ることができるシールド、推進工事における防音ハウスの換気装置、換気方法を実現し提供することができる。
【産業上の利用可能性】
【０１１２】
本発明の換気装置、換気方法は、上述したシールド、推進工事における防音ハウスに適用する場合の他、土石、岩石、鉱物等の掘削場所や、積み込み、積み降ろし場所、研摩材により金属、鉱物等を研磨する場所、セメント、粉状物等の乾燥、袋詰め、積み込み場所等のような粉塵の発生を伴う各種作業場所における防音構造の建造物の換気用として広範に適用可能である。
【符号の説明】
【０１１３】
１    防音ハウス
２    ハウス本体
３    セグメントシール貼り作業領域
４    資器材、掘削土搬出入作業領域
５    掘削土改質作業領域
６    立坑換気設備領域
７    機械設備設置領域
８    水槽群設置領域
９    電動重量シャッタ
１０    立坑
１１    開閉ドア
２１    吸気扇
３１    排気扇
３２    天井吸気扇
３３    天井吸気扇
４０    制御部
４１    入力部
４２    プログラムメモリ
４３    オンオフ駆動部
４４    表示部
【図１】
0005469989.tif 000002
【図２】
0005469989.tif 000003
【図３】
0005469989.tif 000004
【図４】
0005469989.tif 000005
【図５】
0005469989.tif 000006
【図６】
0005469989.tif 000007
【図７】
0005469989.tif 000008
【図８】
0005469989.tif 000009
【図９】
0005469989.tif 000010
【図１０】
0005469989.tif 000011
【図１１】
0005469989.tif 000012
【図１２】
0005469989.tif 000013
【図１３】
0005469989.tif 000014
【図１４】
0005469989.tif 000015
【図１５】
0005469989.tif 000016
【図１６】
0005469989.tif 000017
【図１７】
0005469989.tif 000018
【図１８】
0005469989.tif 000019
【図１９】
0005469989.tif 000020
【図２０】
0005469989.tif 000021
【図２１】
0005469989.tif 000022
【図２２】
0005469989.tif 000023
【図２３】
0005469989.tif 000024
【図２４】
0005469989.tif 000025
【図２５】
0005469989.tif 000026
【図２６】
0005469989.tif 000027